(57)【要約】【課題】反射モードにおいて反射光による干渉を防止すると共に、透過モードにおけるコントラストを向上させること。【解決手段】外光を用いる反射モード及び光源を用いる透過モードを有する半透過型液晶表示装置であって、透過モードの際に使用する光源と、光源の上方に配置され、表示素子として機能する液晶パネルと、液晶パネルの上方に配置され、反射モードにおいて散乱状態になり、透過モードにおいて非散乱状態になるように切替可能な拡散光学素子と、を具備する。【選択図】    図１
2004170876.tif 000002
【特許請求の範囲】
【請求項１】
外光を用いる反射モード及び光源を用いる透過モードを有する半透過型液晶表示装置であって、前記透過モードの際に使用する光源と、前記光源の上方に配置され、表示素子として機能する液晶パネルと、前記液晶パネルの上方に配置され、前記反射モードにおいて散乱状態になり、前記透過モードにおいて非散乱状態になるように切替可能な拡散光学素子と、を具備することを特徴とする半透過型液晶表示装置。
【請求項２】
前記反射モードにおいて前記光学素子を散乱状態にし、前記透過モードにおいて前記光学素子を非散乱状態にするように電力供給を制御する切替制御手段を具備することを特徴とする請求項１記載の半透過型液晶表示装置。
【請求項３】
前記液晶パネルは、液晶層を挟持する一対のガラス基板と、前記ガラス基板上にそれぞれ配置された偏光板とを有し、前記ガラス基板の一方とそのガラス基板上に配置された前記偏光板との間に前記拡散光学素子が配置されることを特徴とする請求項１又は請求項２記載の半透過型液晶表示装置。
【請求項４】
前記拡散光学素子は、高分子分散型液晶又は高分子ネットワーク型液晶であることを特徴とする請求項１から請求項３のいずれか一項記載の半透過型液晶表示装置。
【発明の詳細な説明】
【０００１】
【発明の属する技術分野】
本発明は、半透過型液晶表示装置に関し、特に反射モードにおいて反射光による干渉を防止すると共に、透過モードにおけるコントラストを向上させた半透過型液晶表示装置に関する。
【０００２】
【従来の技術】
正面側から入射する外光を反射させて当該正面側に導くとともに、裏面側からのバックライトシステムによる入射光を透過させて同じ正面側へと導く、いわゆる半透過型液晶表示装置が本格的に実用化されつつある。このタイプの液晶表示装置は、使用環境が明るいときには主として外光（周囲光）により（反射モード）、暗いときには主としてバックライトシステムの自発光光により（透過モード）、効果的な画像表示をなすものである。
【０００３】
先行技術文献  Ｍ．  Ｋｕｂｏ，  ｅｔ  ａｌ．  ”Ｄｅｖｅｌｏｐｍｅｎｔ  ｏｆ  Ａｄｖａｎｃｅｄ  ＴＦＴ  ｗｉｔｈ  Ｇｏｏｄ  Ｌｅｇｉｂｉｌｉｔｙ  ｕｎｄｅｒ  Ａｎｙ  Ｉｎｔｅｎｓｉｔｙ  ｏｆ  Ａｍｂｉｅｎｔ  Ｌｉｇｈｔ”，  ＩＤＷ’９９，  Ｐｒｏｃｅｅｄｉｎｇｓ  ｏｆ  Ｔｈｅ  Ｓｉｘｔｈ  Ｉｎｔｅｒｎａｔｉｏｎａｌ  Ｄｉｓｐｌａｙ  Ｗｏｒｋｓｈｏｐｓ，  ＡＭＤ３−４，  ｐａｇｅ  １８３−１８６，  Ｄｅｃ．  １，  １９９９，  ｓｐｏｎｓｏｒｅｄ  ｂｙ  ＩＴＥ  ａｎｄ  ＳＩＤ  には、このようなタイプの液晶表示装置が開示されている。
【０００４】
反射型液晶表示装置では、入射光を効率良く反射光にするために拡散反射板が使用されている。この拡散反射板は、通常凹凸面を有しており、入射光を正反射すると共にこの凹凸面での拡散反射成分を反射光に付与できるものである。半透過型液晶表示装置は画素内に反射領域を有するので、この半透過型液晶表示装置においても拡散反射板を使用する。
【０００５】
拡散反射板を有する半透過型液晶表示装置においては、拡散反射板の凹凸面で入射光が反射する際に、凹凸面の一つの凸部において凸部の頂部に近い部分と凸部の谷部に近い部分とで同じ光路方向の光が生じ、その光同士が干渉してしまい、虹色になる現象が起こる。
【０００６】
このため、拡散反射板を有する半透過型液晶表示装置においては、同じ光路方向の光の光路を変えるために、アンチグレア処理された偏光板又は拡散特性を有する粘着剤（拡散粘着剤）を用いている。
【０００７】
【発明が解決しようとする課題】
しかしながら、上記半透過型液晶表示装置においては、アンチグレア処理された偏光板又は拡散特性を有する粘着剤のために、特に拡散粘着剤のために、透過モードでの透過光が拡散してしまい、透過モードにおけるコントラストが低下するという問題がある。
【０００８】
本発明はかかる点に鑑みてなされたものであり、反射モードにおいて反射光による干渉を防止すると共に、透過モードにおけるコントラストを向上させることができる半透過型液晶表示装置を提供することを目的とする。
【０００９】
【課題を解決するための手段】
本発明の半透過型液晶表示装置は、外光を用いる反射モード及び光源を用いる透過モードを有する半透過型液晶表示装置であって、前記透過モードの際に使用する光源と、前記光源の上方に配置され、表示素子として機能する液晶パネルと、前記液晶パネルの上方に配置され、前記反射モードにおいて散乱状態になり、前記透過モードにおいて非散乱状態になるように切替可能な拡散光学素子と、を具備することを特徴とする。
【００１０】
この構成によれば、拡散光学素子が、反射モードにおいて散乱状態として機能するので、反射モードにおいて拡散反射板の凹凸面で生じた光路方向の同じ干渉の原因となる光を散乱させて光路方向を変えることができ、光の干渉による虹色が生じる現象を回避することができる。また、透過モードにおいて非散乱状態として機能するので、透過モードにおいては光が散乱されることがなく、コントラストの低下を防止することができる。
【００１１】
本発明の半透過型液晶表示装置においては、前記反射モードにおいて前記光学素子を散乱状態にし、前記透過モードにおいて前記光学素子を非散乱状態にするように電力供給を制御する切替制御手段を具備することが好ましい。
【００１２】
本発明の半透過型液晶表示装置においては、前記液晶パネルは、液晶層を挟持する一対のガラス基板と、前記ガラス基板上にそれぞれ配置された偏光板とを有し、前記ガラス基板の一方とそのガラス基板上に配置された前記偏光板との間に前記拡散光学素子が配置されることが好ましい。
【００１３】
この構成によれば、ガラス基板が最上層に配置されないので、ガラス基板の表面上に反射防止膜を形成したり、反射防止処理を施すことが不要となる。
【００１４】
本発明の半透過型液晶表示装置においては、前記拡散光学素子は、高分子分散型液晶又は高分子ネットワーク型液晶であることが好ましい。
【００１５】
【発明の実施の形態】
以下、本発明の実施の形態について、添付図面を参照して詳細に説明する。
（実施の形態１）
本実施の形態においては、液晶パネルの上方に、反射モードにおいて散乱状態になり、前記透過モードにおいて非散乱状態になるように切替可能な拡散光学素子を配置する構成について説明する。図１は、本発明の実施の形態１に係る半透過型液晶表示装置の構成を示す図である。
【００１６】
図１に示す半透過型液晶表示装置は、透過モードにおいて使用する光源であるバックライト１１と、このバックライト１１の上方に配置され、表示素子として機能する液晶パネル１２と、この液晶パネル１２の上方に配置され、反射モードにおいて散乱状態になり、透過モードにおいて非散乱状態になるように切替可能な拡散光学素子１３とから主に構成されている。
【００１７】
バックライト１１としては、通常の液晶表示装置に使用されるものを挙げることができる。
【００１８】
液晶パネル１２としては、モノクロ透過型液晶表示装置に用いられる液晶パネル、例えば、ＴＮ（Ｔｗｉｓｔｅｄ  Ｎｅｍａｔｉｃ）液晶パネルやＳＴＮ（Ｓｕｐｅｒ  Ｔｗｉｓｔｅｄ  Ｎｅｍａｔｉｃ）液晶パネルを用いることができる。また、アクティブマトリクス型液晶パネルも使用することができ、液晶タイプ、駆動方法、配向モード（例えば、ＶＡ（Ｖｅｒｔｉｃａｌ  Ａｌｉｇｎｍｅｎｔ）、ＩＰＳ（Ｉｎ  Ｐｌａｎｅ  Ｓｗｉｔｃｈｉｎｇ）など）に関係なく、種々のタイプの液晶パネルを用いることができる。液晶パネル１２としては、例えば、図２に示す構成を有する液晶パネルを用いることができる。
【００１９】
図２は、本発明の実施の形態１に係る半透過型液晶表示装置における液晶パネルの構成を示す断面図である。一方のガラス基板２１の一方の主面上には、透明電極２３が形成されている。透明電極２３の材料としては、例えば、ＩＴＯ（Ｉｎｄｉｕｍ  Ｔｉｎ  Ｏｘｉｄｅ）、酸化亜鉛系材料、酸化チタン系材料、酸化インジウム−酸化亜鉛系材料、ガリウム添加酸化亜鉛系材料、ｐ型酸化物材料などを挙げることができる。
【００２０】
透明電極２３上には、画素内の透過領域がパターニングされた樹脂層２４が形成されている。樹脂層２４の材料としては、ポリイミドなどの通常のレジスト材料などを用いることができる。さらに、樹脂層２４上には、拡散反射板２５が形成されている。拡散反射板２５の材料としては、アルミニウムや銀などを用いることができる。拡散反射板２５は、凹凸面を有するように形成されており、その形成方法としては、下地面をエッチングなどにより粗面化する方法、感光性樹脂をパターニングして凹凸を形成する方法などが挙げられる。
【００２１】
樹脂層２４及び拡散反射板２５のパターニングは、例えば次のようにして行うことができる。まず、樹脂層を透明電極２３上に形成した後に、樹脂層上に拡散反射板を形成する。次いで、拡散反射板上にレジスト層を形成し、フォトリソグラフィー法によりパターニングし、パターニングされたレジスト層をマスクとして拡散反射板をエッチングする。次いで、パターニングされた拡散反射板をマスクとして樹脂層をエッチングする。これにより、樹脂層２４及び拡散反射板２５を形成する。なお、ここでは、樹脂層及び拡散反射板を積層した後に拡散反射板及び樹脂層の順でエッチングしてパターニングする場合について説明しているが、本発明においては、樹脂層を積層しパターニングした後に拡散反射板を積層しパターニングしても良い。
【００２２】
拡散反射板２５上及び透過領域の透明電極２３上には、配向膜２６が形成されている。配向膜２６の材料としては、ポリイミドなどの樹脂材料を挙げることができる。
【００２３】
他方のガラス基板２２の一方の主面上には、カラーフィルタ２７が形成されている。カラーフィルタ２７上には、透明電極２８が形成され、透明電極２８上には、配向膜２９が形成されている。透明電極２８及び配向膜２９のそれぞれの材料としては、ガラス基板２１と同様のものを使用することができる。
【００２４】
なお、ガラス基板２１，２２のそれぞれの透明電極２３，２８で走査電極及び信号電極のマトリクスを構成して表示を可能にしている。これにより、液晶パネル１２には、通常の液晶パネルのように画素が形成される。また、透明電極２３，２８の形成方法としては、通常液晶表示装置の製造において使用する方法、例えばスパッタリング法などを挙げることができ、配向膜２６，２９の形成方法としては、通常液晶表示装置の製造において使用する方法、例えば塗布工程、乾燥工程、ラビング工程などを含む方法を挙げることができる。
【００２５】
ガラス基板２１，２２間には、液晶層３２が形成されている。液晶層３２は、成膜を完了したガラス基板２１，２２を配向膜２６，２９が対向するようにして配置し、ガラス基板２１，２２間に液晶材料（ここではＴＮ液晶）を注入することにより形成される。ガラス基板２１の他方の主面上には、偏光板３０が配置されており、ガラス基板２２の他方の主面上には、偏光板３１が配置されている。
【００２６】
なお、偏光板については、位相差フィルムや視角補償などのための光学フィルムのような光学フィルムを複数枚付加したものを使用しても良く、一枚で構成される偏光板を使用しても良い。
【００２７】
拡散光学素子１３としては、高分子ネットワーク型液晶表示素子や高分子分散型液晶表示素子を用いることができる。例えば、図３に示す構成を有する高分子ネットワーク型液晶表示素子を用いることができる。
【００２８】
図３は、本発明の実施の形態１に係る半透過型液晶表示装置における拡散光学素子の構成を示す断面図である。一方のガラス基板４１の一方の主面上には、透明電極４３が形成されている。また、他方のガラス基板４２の一方の主面上には、透明電極４４が形成されている。透明電極４３，４４の形成方法としては、通常の液晶表示装置の製造において使用される方法を用いることができる。また、透明電極４３，４４の材料としては、上記液晶パネル１２に用いたものと同じものを使用することができ、その形成方法としては、通常液晶表示装置の製造において使用する方法を挙げることができる。
【００２９】
ガラス基板４１，４２間には、高分子液晶層４５が形成されている。高分子液晶層４５は、透明電極４３，４４が対向するようにして配置されたガラス基板４１，４２の間に挟持される。
【００３０】
高分子液晶層４５としては、液晶分子を含むネットワークが高分子マトリクス内に延在する高分子ネットワーク型液晶や、液晶分子を含む液滴を高分子マトリクスに分散してなる高分子分散型液晶を用いることができる。なお、駆動電圧が低いという観点においては、高分子ネットワーク型液晶の方が有利である。
【００３１】
上記のような液晶パネル１２及び拡散光学素子１３を図１に示すように、バックライト１１、液晶パネル１２及び拡散光学素子１３の順で配置する。このような構成において、液晶パネル１２は、いずれのモードにおいても表示素子として機能し、拡散光学素子１３は、反射モードにおいて散乱状態になり、前記透過モードにおいて非散乱状態になるように制御される。
【００３２】
図４は、本発明の実施の形態１に係る半透過型液晶表示装置の構成を示すブロック図である。この構成は、装置全体を制御する制御部５１と、バックライト１１、液晶パネル１２、及び光学素子１３への電圧印加の切替制御を行う切替制御部５２と、電圧印加のために電力を供給する電源５３とを有する。また、この構成は、切替制御を行うためのスイッチＳＷ１及びＳＷ２を備えている。また、切替制御部５２は、図５に示すようなスイッチングテーブルを有しており、このスイッチングテーブルに基づいて切替制御を行う。
【００３３】
次に、上記構成を有する本実施の形態に係る半透過型液晶表示装置の動作について説明する。
制御部５１は、ユーザからの入力もしくは外界の状況（輝度や光量など）に基づいて自動的に表示モード（反射モード又は透過モード）を設定し、そのモード情報を切替制御部５２に出力する。切替制御部５２では、反射モードにおいて、外光を使用し、拡散光学素子１３を散乱状態にして使用するようにＳＷ１，ＳＷ２に対して電力供給の切替制御を行い、透過モードにおいて、バックライト１１の光を使用し、拡散光学素子１３を非散乱状態にして使用するようにＳＷ１，ＳＷ２に対して電力供給の切替制御を行う。
【００３４】
まず、反射モードの場合について説明する。反射モードにおいては、具体的には、図５に示すように、拡散光学素子１３を散乱状態にして使用するため、ＳＷ１はＯＦＦ状態する。また、この反射モードにおいては、外光を使用するので、バックライト１１にも電力を供給しない。このため、ＳＷ２もＯＦＦ状態にする。
【００３５】
このような状態において、電源５３からの電力供給により液晶パネル１２に電圧を印加して表示を行う。この場合、外光である入射光は、拡散光学素子１３を通過して液晶パネル１２に到達し、液晶パネル１２の拡散反射板２５で効率良く反射して反射光となり、液晶パネル１２から拡散光学素子１３を通過して外界に出る。このとき、拡散反射板２５により、入射光を正反射すると共に拡散反射板２５の凹凸面で拡散反射成分が反射光に付与されるが、拡散反射板２５の凹凸面で入射光が反射する際に、凹凸面の一つの凸部において凸部の頂部に近い部分と凸部の谷部に近い部分とで同じ光路方向の光が生じる。この光路方向が同じ光は、拡散光学素子１３が散乱状態であるので、拡散光学素子１３を通過する際に拡散されて光路方向が変わり互いに光路が異なるようになる。このため、拡散光学素子１３を通過した反射光には干渉がなく、虹色が生じる現象は起こらない。その結果、液晶表示装置としての高い表示品位を維持することができる。
【００３６】
次に、透過モードの場合について説明する。透過モードにおいては、具体的には、図５に示すように、拡散光学素子１３を非散乱状態にしてバックライト１１の光を透過させるので、ＳＷ１はＯＮ状態する。また、この透過モードにおいては、外光を使用しないので、バックライト１１に電力を供給する。このため、ＳＷ２もＯＮ状態にする。
【００３７】
このような状態において、電源５３からの電力供給により液晶パネル１２に電圧を印加して表示を行う。透過モードにおいては、拡散光学素子１３が非散乱状態であるので、液晶パネル１２を通過したバックライト１１からの光をそのまま外界に出す。このため、透過モードにおいてコントラストが低下することを防止できる。また、透過モードは、通常、外光が少ない場所で使用されることが想定されるので、拡散反射板２５における干渉は表示品位に影響を及ぼさない。
【００３８】
このように、本実施の形態１に係る半透過型液晶表示装置は、拡散光学素子が反射モードにおいて散乱状態として機能するので、反射モードにおいて拡散反射板の凹凸面で生じた光路方向の同じ干渉の原因となる光を散乱させて光路方向を変えることができ、光の干渉による虹色が生じる現象を回避することができる。また、拡散光学素子は、透過モードにおいて非散乱状態として機能するので、透過モードにおいては光が散乱されることがなく、コントラストの低下を防止することができる。また、本実施の形態１に係る半透過型液晶表示装置では、拡散光学素子１３が液晶パネル１２の上に配置されているので、液晶パネル１２において構成された偏光状態に影響を及ぼすことがない。
【００３９】
（実施の形態２）
本実施の形態においては、液晶パネル１２内に拡散光学素子１３が組み込まれた構成について説明する。図６は、本発明の実施の形態２に係る半透過型液晶表示装置における液晶パネルの構成を示す断面図である。図６において図２と同じ部分については図２と同じ符号を付してその詳細な説明は省略する。
【００４０】
図６に示す液晶パネル６１のガラス基板２２の他方の主面、すなわちカラーフィルタ２７が設けられている主面と反対側の主面上には、拡散光学素子１３が配置されている。拡散光学素子１３の構成は、図３に示す構成と同様である。拡散光学素子１３上には、偏光板３１が配置されている。
【００４１】
上記構成を有する本実施の形態に係る半透過型液晶表示装置の動作は実施の形態１とほぼ同様である。まず、反射モードの場合について説明する。反射モードにおいては、具体的には、図５に示すように、拡散光学素子１３を散乱状態にして使用するため、ＳＷ１はＯＦＦ状態する。また、この反射モードにおいては、外光を使用するので、バックライト１１にも電力を供給しない。このため、ＳＷ２もＯＦＦ状態にする。
【００４２】
このような状態において、電源５３からの電力供給により液晶パネル６１に電圧を印加して表示を行う。この場合、外光である入射光は、液晶パネル６１の拡散光学素子１３を通過し、拡散反射板２５で効率良く反射して反射光となり、拡散光学素子１３を通過して液晶パネル６１から外界に出る。このとき、拡散反射板２５により、入射光を正反射すると共に拡散反射板２５の凹凸面で拡散反射成分が反射光に付与されるが、拡散反射板２５の凹凸面で入射光が反射する際に、凹凸面の一つの凸部において凸部の頂部に近い部分と凸部の谷部に近い部分とで同じ光路方向の光が生じる。この光路方向が同じ光は、拡散光学素子１３が散乱状態であるので、拡散光学素子１３を通過する際に拡散されて光路方向が変わり互いに光路が異なるようになる。このため、拡散光学素子１３を通過した反射光には干渉がなく、虹色が生じる現象は起こらない。その結果、液晶表示装置としての高い表示品位を維持することができる。
【００４３】
次に、透過モードの場合について説明する。透過モードにおいては、具体的には、図５に示すように、拡散光学素子１３を非散乱状態にしてバックライト１１の光を透過させるので、ＳＷ１はＯＮ状態する。また、この透過モードにおいては、外光を使用しないので、バックライト１１に電力を供給する。このため、ＳＷ２もＯＮ状態にする。
【００４４】
このような状態において、電源５３からの電力供給により液晶パネル６１に電圧を印加して表示を行う。透過モードにおいては、拡散光学素子１３が非散乱状態であるので、液晶パネル６１を通過したバックライト１１からの光をそのまま外界に出す。このため、透過モードにおいてコントラストが低下することを防止できる。また、透過モードにおいては、外光量が少なくなるので、拡散反射板２５における干渉は表示品位に影響を及ぼさない。
【００４５】
このように、本実施の形態２に係る半透過型液晶表示装置は、拡散光学素子が反射モードにおいて散乱状態として機能するので、反射モードにおいて拡散反射板の凹凸面で生じた光路方向の同じ干渉の原因となる光を散乱させて光路方向を変えることができ、光の干渉による虹色が生じる現象を回避することができる。また、拡散光学素子は、透過モードにおいて非散乱状態として機能するので、透過モードにおいては光が散乱されることがなく、コントラストの低下を防止することができる。また、本実施の形態２に係る半透過型液晶表示装置では、拡散光学素子１３のガラス基板が最上層に配置されないので、ガラス基板の表面上に反射防止膜を形成したり、反射防止処理を施すことが不要となる。
【００４６】
本発明は上記実施の形態１，２に限定されず、種々変更して実施することが可能である。例えば、上記実施の形態１，２においては、表示素子として使用する液晶パネルとしてパッシブ型液晶表示素子を用いた場合について説明しているが、本発明においては、アクティブマトリクス型液晶表示素子を用いることも可能である。
【００４７】
また、上記実施の形態１，２においては、拡散光学素子に高分子ネットワーク型液晶を用いた場合について説明しているが、本発明は、拡散光学素子に高分子分散型液晶を用いる場合にも適用することができる。また、本発明における拡散光学素子としては、高分子ネットワーク型液晶や高分子分散型液晶を用いた拡散光学素子の他に、電気的に光を透過する状態と光を散乱する状態を切替制御できる拡散光学素子を使用することもできる。
【００４８】
また、上記実施の形態１，２においては、ガラス基板に高分子液晶層３５が挟持された構成の拡散光学素子１３を用いる場合について説明しているが、本発明においては、拡散光学素子１３がガラス基板を用いないフィルムである場合にも適用することができる。この場合、液晶パネルに貼り合わせることが可能となり、製造工程を簡略化することが可能となる。
【００４９】
また、上記実施の形態１，２においては、拡散光学素子１３が電圧無印加時に散乱状態であり、電圧印加時に非散乱状態（透明）であるように制御可能なものである場合について説明しているが、本発明においては、拡散光学素子が電圧無印加時に非散乱状態（透明）であり、電圧無印加時に散乱状態であるように制御可能なものである場合にも同様に適用可能である。この場合、図７に示すように、反射モードにおいてＳＷ１をＯＮ状態とし、ＳＷ２をＯＦＦ状態となるように切替制御し、透過モードにおいてＳＷ１をＯＦＦ状態とし、ＳＷ２をＯＮ状態となるように切替制御する。この態様においては、透過モードにおいて消費電力を低減させることができるので、透過モードを重視する場合に好適である。
【００５０】
本発明は、透過モード及び反射モードの両モードにおいて十分に明るい表示を行うことができるので、携帯電話やＰＤＡ（情報携帯端末）などの外環境下で使用するすべての液晶表示装置や、車載用又は航空機用の液晶表示装置に適用することが可能である。
【００５１】
【発明の効果】
以上説明したように本発明は、外光を用いる反射モード及び光源を用いる透過モードを有する半透過型液晶表示装置であって、透過モードの際に使用する光源と、光源の上方に配置され、表示素子として機能する液晶パネルと、液晶パネルの上方に配置され、反射モードにおいて散乱状態になり、透過モードにおいて非散乱状態になるように切替可能な拡散光学素子と、を具備するので、反射モードにおいて反射光による干渉を防止すると共に、透過モードにおけるコントラストを向上させることができる。
【図面の簡単な説明】
【図１】本発明の実施の形態１に係る半透過型液晶表示装置の構成を示す図である。
【図２】本発明の実施の形態１に係る半透過型液晶表示装置における液晶パネルの構成を示す断面図である。
【図３】本発明の実施の形態１に係る半透過型液晶表示装置における拡散光学素子の構成を示す断面図である。
【図４】本発明の実施の形態１に係る半透過型液晶表示装置の内部構成を示すブロック図である。
【図５】本発明の実施の形態１，２に係る半透過型液晶表示装置における切り替えテーブルを示す図である。
【図６】本発明の実施の形態２に係る半透過型液晶表示装置における液晶パネルの構成を示す断面図である。
【図７】本発明の実施の形態１，２に係る半透過型液晶表示装置における切り替えテーブルの他の例を示す図である。
【符号の説明】
１１  バックライト
１２，６１  液晶パネル
１３  拡散光学素子
２１，２２，４１，４２  ガラス基板
２３，２８，４３，４４  透明電極
２４  樹脂層
２５  拡散反射板
２６，２９  配向膜
２７  カラーフィルタ
３０，３１  偏光板
３２  液晶層
４５  高分子液晶層
５１  制御部
５２  切替制御部
５３  電源
【図１】
2004170876.tif 000003
【図２】
2004170876.tif 000004
【図３】
2004170876.tif 000005
【図４】
2004170876.tif 000006
【図５】
2004170876.tif 000007
【図６】
2004170876.tif 000008
【図７】
2004170876.tif 000009